(57)【要約】【課題】結束作業の作業性が良く、結束する電線群の太さや共抱きする束数等が制限され難い、汎用性の高いバンドクリップを提供する。【解決手段】パネル２側のハーネス固定部位２ａに係止されるクリップヘッド部１２と、クリップヘッド部１２に結合されつつ複数の電線群Ｗ１，Ｗ２を共抱き状態で結束可能な結束バンド部１３とを備えたバンドクリップにおいて、クリップヘッド部１２が、結束バンド部１３を一端側から挿通可能な第１挿通孔２３が形成された筒状部分２２と、基端側で筒状部分２２に支持されるとともに先端側に結束バンド部１３を一端側から挿通可能な第２挿通孔２５が形成された突出部分２４とを有しており、結束バンド部１３が、クリップヘッド部１２の第１挿通孔２３および第２挿通孔２５に挿通されつつ、複数の電線群Ｗ１、Ｗ２を共抱き状態で結束する。【選択図】図１
2015156737.tif 000002
【特許請求の範囲】
【請求項１】
支持体側の取付部位に係止される係止固定部と、前記係止固定部に結合されつつ複数の電線群を共抱き状態で結束可能な結束バンド部と、を備えたバンドクリップにおいて、
前記係止固定部が、前記結束バンド部を一端側から挿通可能な第１挿通孔が形成された筒状部分と、基端側で前記筒状部分に支持されるとともに先端側に前記結束バンド部を一端側から挿通可能な第２挿通孔が形成された突出部分とを有しており、
前記結束バンド部が、前記係止固定部の前記第１挿通孔および前記第２挿通孔に挿通されつつ前記電線群を結束することを特徴とするバンドクリップ。
【請求項２】
前記係止固定部の前記第１挿通孔および前記第２挿通孔は、互いに平行な軸線を有していることを特徴とする請求項１に記載のバンドクリップ。
【請求項３】
前記係止固定部の前記第２挿通孔は、前記突出部分の突出方向で互いに離間する複数の平行孔として形成され、該複数の平行孔のうち任意の平行孔に前記結束バンド部が挿通可能であることを特徴とする請求項１または請求項２に記載のバンドクリップ。
【請求項４】
前記第１挿通孔を形成する前記筒状部材の長さは、前記第２挿通孔の中心軸線方向における前記突出部分の厚さより大きいことを特徴とする請求項１ないし請求項３のいずれか１の請求項に記載のバンドクリップ。
【発明の詳細な説明】
【技術分野】
【０００１】
本発明は、バンドクリップに関し、特に複数の電線群を共抱き状態で結束および固定可能なバンドクリップに関する。
【背景技術】
【０００２】
従来、ワイヤハーネスの電線群を結束バンド部で結束してパネルに係止固定し得るパネル固定用のバンドクリップとして、パネル側に係止されるクリップヘッドに対し、ワイヤハーネスを共抱き状態で結束可能な結束バンドを結合しているものがある。
【０００３】
例えば、クリップヘッドに一体結合する結束バンドを、先端側のバンド部分と、その先端側のバンド部分を順次抜止め可能に挿入することのできる複数のバンド係止部分とによって構成し、同一の結束バンドに対し複数箇所での結束を可能にしたものが知られている（例えば、特許文献１参照）。
【０００４】
また、結束バンド部を異なる複数の固定溝のいずれかに挿入し固定することのできる結束部固定用のアームをクリップヘッドと一体に構成し、そのアーム付きのクリップヘッドに対し結束バンドを固定する際に、結束バンドのクリップ中心からのオフセット量を選択的に設定できるようにしたものも知られている（例えば、特許文献２参照）。
【先行技術文献】
【特許文献】
【０００５】
【特許文献１】特開平９−１５９０６４号公報
【特許文献２】特開平９−１００９５３号公報
【発明の概要】
【発明が解決しようとする課題】
【０００６】
しかしながら、結束バンドをクリップヘッドに一体に結合する従来のバンドクリップにあっては、クリップヘッド、特にそのパネル押え板部分に対して結束バンド部から大きな引張力や曲げ力が作用し易いため、クリップヘッドに対する結束バンド部の張力方向や各電線群に対する結束バンド部の巻き掛け角度等が制限されていた。そのため、結束作業の作業性が悪くなるばかりか、結束可能な電線群の太さや共抱きする束数等が制限されてしまい、バンドクリップの汎用性を十分に高めることができなかった。
【０００７】
また、クリップヘッドに対し結束バンドを別体に構成する従来のバンドクリップにあっても、結束バンドをクリップ中心からオフセットした位置でアームに固定する必要があるため、結束バンドの結束位置や引張方向が制限されていた。さらに、クリップヘッドに対するワイヤハーネスの横ずれ規制等の機能を確保する必要から、結束可能なワイヤハーネスの径も制限されていた。そのため、やはり、結束作業の作業性が悪くなるばかりか、結束可能な電線群の太さや束数等が制限されてしまい、バンドクリップの汎用性を十分に高めることができなかった。
【０００８】
そこで、本発明は、結束作業の作業性が良く、結束する電線群の太さや共抱きする束数等が制限され難い、汎用性の高いバンドクリップを提供することを目的とする。
【課題を解決するための手段】
【０００９】
本発明に係るバンドクリップは、上記目的達成のため、支持体側の取付部位に係止される係止固定部と、前記係止固定部に結合されつつ複数の電線群を共抱き状態で結束可能な結束バンド部と、を備えたバンドクリップにおいて、前記係止固定部が、前記結束バンド部を一端側から挿通可能な第１挿通孔が形成された筒状部分と、基端側で前記筒状部分に支持されるとともに先端側に前記結束バンド部を一端側から挿通可能な第２挿通孔が形成された突出部分とを有しており、前記結束バンド部が、前記係止固定部の前記第１挿通孔および前記第２挿通孔に挿通されつつ前記電線群を結束する構成となっている。
【００１０】
この構成により、結束バンド部から係止固定部の筒状部分や突出部分に大きな力が作用し難くなるとともに、結束バンド部の結束位置が周方向の任意の位置に設定可能となる。したがって、結束バンドの結束作業が格段に向上するとともに、結束するワイヤハーネスの電線群の太さや共抱きする束数等が制限され難く、汎用性の高いバンドクリップとなる。しかも、係止固定部に突出部分が設けられているので、共抱き状態で結束される電線群をその突出部分により仕切ったりガイドしたりすることができ、電線群の横ずれ規制等の機能を容易に確保できる。
【００１１】
前記係止固定部の前記第１挿通孔および前記第２挿通孔は、互いに平行な軸線を有している構成としてもよい。この構成により、係止固定部に対する結束バンド部の挿通作業が容易になる。
【００１２】
前記係止固定部の前記第２挿通孔は、前記突出部分の突出方向で互いに離間する複数の平行孔として形成され、該複数の平行孔のうち任意の平行孔に前記結束バンド部が挿通可能である構成となっているのがよい。
【００１３】
この構成により、係止固定部に対する結束バンド部の取付け作業が容易になるとともに、電線群の結束形態を多様化でき、汎用性がより高まる。
【００１４】
前記第１挿通孔を形成する前記筒状部材の長さは、前記第２挿通孔の中心軸線方向における前記突出部分の厚さより大きくなっているとよい。
【００１５】
この構成により、係止固定部と一体に構成される筒状部分が突出部分からの力の影響を受け難くなり、例えば電線群の軸線方向変化等により突出部分がねじれたとしても、突出部分からの力によって筒状部分が変形するのを有効に抑制して、結束バンドの損傷防止と安定した結束状態の保持とが可能となる。
【００１６】
なお、係止固定部の突出部分に電線群の横ずれ規制機能を持たせる場合、本発明のバンドクリップは、突出部分の片側にのみ複数の電線群を結束するオフセットクリップとしても使用できる。また、本発明にいう第２挿通孔は、突出部分によって全周を囲まれたものであるのがよいが、周方向の一部で切れていてよく、第２挿通孔は結束バンド部を一端側からのみならず、結束バンド部のバンド幅方向にも挿入可能な凹状となっていてもよい。
【発明の効果】
【００１７】
本発明によれば、結束作業の作業性が良く、結束する電線群の太さや共抱きする束数等が制限され難い、汎用性の高いバンドクリップを提供することができる。
【図面の簡単な説明】
【００１８】
【図１】本発明の第１の実施の形態に係るバンドクリップの要部斜視図である。
【図２】本発明の第１の実施の形態に係るバンドクリップの係止固定部および結束バンド部を示す概略構正面図である。
【図３】本発明の第１の実施の形態に係るバンドクリップによる複数の径の異なる電線群の結束状態の説明図である。
【図４】図４（ａ）ないし図４（ｆ）は、それぞれ本発明の第１の実施の形態に係るバンドクリップによる複数の電線群の共抱き状態での結束態様を示す説明図であり、互いに結束部位およびバンド引張方向が相違する結束態様を示している。
【図５】本発明の第１の実施の形態に係るバンドクリップによる係止固定部の突出部分に電線群間の結束バンド部を湾曲姿勢に保持させてバンドの巻き掛け角度を増加させる場合の結束状態の説明図である。
【図６】図６（ａ）および図６（ｂ）は、それぞれ本発明の第２の実施の形態に係るバンドクリップによる複数の電線群のオフセットさせた共抱き状態での結束態様を示す説明図であり、図６（ａ）は電線群側でバンドを結束する態様を、図６（ｂ）は電線群とは反対側でバンドを結束する態様を示している。
【発明を実施するための形態】
【００１９】
次に、本発明を実施するための形態について図面を参照しつつ説明する。
【００２０】
（第１の実施の形態）
図１ないし図５は、本発明の第１の実施の形態に係るバンドクリップを示している。
【００２１】
まず、本実施形態の構成を説明する。
【００２２】
図１および図２に示すように、本実施形態のバンドクリップ１０は、車両に装備されるワイヤハーネスの電線群Ｗ１、Ｗ２をボディパネル等のパネル２（支持体）のハーネス固定部位２ａ（取付部位）に共抱き状態で係止固定するものである。
【００２３】
パネル２のハーネス固定部位２ａは、中心部に例えば丸穴を有している。
【００２４】
バンドクリップ１０は、例えばポリプロピレンやナイロン等の樹脂で形成されており、係止爪１１を有するクリップヘッド部１２（係止固定部）と、クリップヘッド部１２に結合されつつ複数の電線群Ｗ１、Ｗ２を共抱き状態で結束可能な結束バンド部１３とを備えている。
【００２５】
係止爪１１は、従来のクリップヘッドに採用される矢先形その他のパネル穴固定用のもので、ハーネス固定部位２ａの周方向における取付角度位置が特に制限されないものである。
【００２６】
クリップヘッド部１２は、一面側で係止爪１１の基端を支持しつつパネル２に当接する略円板状のパネル押え板部２１と、パネル押え板部２１の他面側に一体に形成された筒状部分２２と、基端側で筒状部分２２に支持された突出部分２４と、を有している。
【００２７】
パネル押え板部２１は、係止爪１１の基端側にパネル２のハーネス固定部位２ａの丸穴に嵌入される円形凸部２１ａを有しており、この円形凸部２１ａを介してパネル２の板面方向の特定位置に位置決めされつつその外方でパネル２に対面および当接している。
【００２８】
筒状部分２２は、パネル押え板部２１と略平行な方向に延びる筒状をなし、結束バンド部１３をその一端側から挿通可能な第１挿通孔２３を有している。また、第１挿通孔２３は、結束バンド部１３の横断面形状に対応する断面形状、例えば略長方形断面を有している。筒状部分２２の断面の外形は、台形や小判形、半円形等でもよい。
【００２９】
突出部分２４は、筒状部分２２から離れた先端側に、結束バンド部１３をその挿入端側から挿通可能な少なくとも１つの、例えば複数の角形の第２挿通孔２５を有している。
【００３０】
結束バンド部１３は、結束時に内周面または外周面となる片面側、例えば内周面側にセレーション状の結束係止用の凹凸形状部分１３ｅを有する帯状のもので、先端側で小幅および薄肉になる一端側の挿入側バンド部分１３ａと、挿入側バンド部分１３ａを抜止め可能に挿入することができる他端側の結束用ロック部分１３ｂとを有している。
【００３１】
この結束バンド部１３は、図２に示すように、クリップヘッド部１２の第１挿通孔２３および第２挿通孔２５に対して、挿入側バンド部分１３ａを先端側から挿通されつつ、複数の電線群Ｗ１、Ｗ２を共抱き状態で結束できるようになっている。ここにいう電線群Ｗ１、Ｗ２は、図３（ａ）および図３（ｂ）に示すように、電線群を構成する各束の太さ（電線束の直径）が互いに相違するものであってもよいし、図４（ａ）ないし図４（ｆ）に示すように、電線群Ｗ１、Ｗ２を構成する各束の太さが略同一のものであってもよい。
【００３２】
結束バンド部１３の挿入側バンド部分１３ａの帯幅または直径は、第１挿通孔２３および第２挿通孔２５の穴径（バンド幅方向の内径）よりも小さく、締付け前の結束バンド部１３は、クリップヘッド部１２の筒状部分２２および突出部分２４に対して容易に摺動可能である。
【００３３】
結束バンド部１３の結束用ロック部分１３ｂには、結束バンド部１３の挿入側バンド部分１３ａを挿入可能なロック孔１３ｄと、そのロック孔１３ｄ内に突出するロック爪１３ｆとが設けられている。
【００３４】
ロック爪１３ｆは、結束バンド部１３のセレーション状の結束係止用の凹凸形状部分１３ｅに係合するとき、挿入側バンド部分１３ａを抜け止めする爪状のものであるが、公知の任意の結束用抜止め構造とすることができる。
【００３５】
クリップヘッド部１２の第１挿通孔２３および第２挿通孔２５は、突出部分２４の突出方向で互いに離間するとともに互いに略平行な中心軸線を有している。ただし、これら挿通孔２３、２５の開口部が結束バンド部１３に対して十分に大径で内奥部より拡径していれば、挿通孔２３、２５が互いに非平行であってもよい。
【００３６】
さらに、クリップヘッド部１２の第２挿通孔２５は、突出部分２４の突出方向で互いに離間する複数の平行孔として形成されており、これら複数の平行な第２挿通孔２５のうち任意の第２挿通孔２５に結束バンド部１３の挿入側バンド部分１３ａが挿通できるようになっている。
【００３７】
また、第１挿通孔２３を形成する筒状部分２２の長さＬは、第２挿通孔２５を形成する突出部分２４の第２挿通孔２５の中心軸線方向（図２の左右方向）における厚さｄよりも十分に、例えば数倍程度大きくなっている。
【００３８】
次に、本実施形態の作用を説明する。
【００３９】
上述のように構成された本実施形態のバンドクリップ１０においては、結束バンド部１３がクリップヘッド部１２の筒状部分２２および突出部分２４に挿通されつつワイヤハーネスの電線群Ｗ１、Ｗ２を共抱き状態に結束する。したがって、電線群Ｗ１、Ｗ２の各束の太さが略同一である場合は勿論、図３（ａ）および図３（ｂ）に示すように電線群Ｗ１、Ｗ２の各束の太さが相違したとしても、電線群Ｗ１、Ｗ２の間でパネル２に対し略平行になる結束バンド部１３からクリップヘッド部１２に大きな力が作用し難くなる。
【００４０】
しかも、図４（ａ）ないし図４（ｆ）に示すように、結束バンド部１３の結束位置をクリップヘッド部１２に対して周方向の任意の位置に移動でき、クリップヘッド部１２に対する結束バンド部１３の挿入方向や締付けのための引張方向も任意であるので、結束作業に最適な結束位置および結束姿勢が容易に設定できる。
【００４１】
したがって、結束バンド部１３による電線群Ｗ１、Ｗ２の共抱き状態での結束作業が格段に向上するとともに、結束する電線群Ｗ１、Ｗ２の太さや共抱きする束数等が制限され難くなり、汎用性の高いバンドクリップ１０となる。
【００４２】
さらに、クリップヘッド部１２から電線群Ｗ１、Ｗ２の結束領域側に突出する突出部分２４が設けられているので、共抱き状態で結束される電線群Ｗ１、Ｗ２をその突出部分２４により互いに仕切ったり所定の配設位置にガイドしたりすることができる。その結果、電線群Ｗ１、Ｗ２の横ずれ規制等の位置規制機能を容易に確保可能となる。
【００４３】
加えて、本実施形態では、クリップヘッド部１２の第１挿通孔２３および第２挿通孔２５が互いに略平行な軸線を有しているので、クリップヘッド部１２に対する結束バンド部１３の取付け（挿通）作業が容易になる。
【００４４】
しかも、本実施形態では、クリップヘッド部１２の第２挿通孔２５は、突出部分２４の突出方向で互いに離間する複数の平行孔として形成され、それら複数の平行な第２挿通孔２５のうち任意の孔に結束バンド部１３が挿通可能である。したがって、クリップヘッド部１２に対する結束バンド部１３の取付け作業が容易になるとともに、電線群Ｗ１、Ｗ２の結束形態を多様化でき、バンドクリップ１０の汎用性がより高まる。
【００４５】
また、本実施形態では、第１挿通孔２３を形成する筒状部分２２の長さＬが、第２挿通孔２５の中心軸線方向における突出部分２４の厚さｄより十分に大きくなっているので、例えば電線群Ｗ１、Ｗ２の軸線方向変化等により突出部分２４がねじれたとしても、突出部分２４からの力によって筒状部分２２が変形するのを有効に抑制でき、結束バンド部１３の損傷防止と安定した結束状態の保持とが可能となる。
【００４６】
このように、本実施形態においては、結束作業の作業性が良く、結束する電線群Ｗ１、Ｗ２の太さや共抱きする束数等が制限され難い、汎用性の高いバンドクリップ１０を提供することができる。
【００４７】
なお、以上の説明および図１ないし図４においては、結束バンド部１３の挿入側バンド部分１３ａが電線群Ｗ１、Ｗ２の間で略真直になるように最も近い第２挿通孔２５を選択するようにしていた。
【００４８】
しかし、本実施形態のバンドクリップ１０は、図５に示すように、作業性が悪化しない範囲内で筒状部分２２に近い第２挿通孔２５を選択して、クリップヘッド部１２の突出部分２４に、直径Ｄ１、Ｄ２の電線群Ｗ１、Ｗ２の間で結束バンド部１３を筒状部分２２側に引き寄せる機能（直径Ｄ１、Ｄ２未満のバンド間隔に保持する機能）を持たせて、結束バンド部１３の電線群Ｗ１、Ｗ２に対する巻き掛け角度を大きくするようにしてもよい。
【００４９】
（第２の実施の形態）
図６は、本発明の第２の実施の形態に係るバンドクリップを示している。
【００５０】
なお、本実施形態は、前述の第１の実施の形態と略同様なクリップヘッド部と、セレーション状の結束係止用の凹凸形状部分を外周側に有する結束バンド部とを有するものであり、クリップヘッド部については突出部分の厚さが第１の実施の形態における突出部分２４の厚さｄより大きくなっている以外は、第１の実施の形態と同様である。したがって、第１の実施の形態と同様の構成については、図１ないし図５に示した第１の実施の形態の対応する構成要素と同一の符号を用いて、以下、第１の実施の形態と相違する点について説明する。
【００５１】
図６（ａ）および図６（ｂ）に示すように、本実施形態のバンドクリップ４０は、係止爪１１を有するクリップヘッド部４２（係止固定部）と、クリップヘッド部４２に結合されつつ複数の電線群Ｗ１、Ｗ２を共抱き状態で結束可能な結束バンド部４３とを備えている。
【００５２】
クリップヘッド部４２は、パネル押え板部２１と、パネル押え板部２１の他面側に一体に形成された筒状部分２２と、基端側で筒状部分２２に支持された突出部分４４と、を有している。
【００５３】
そして、突出部分４４は、筒状部分２２から離れた先端側に、結束バンド部４３をその挿入端側から挿通可能な少なくとも１つの、例えば複数の角形の第２挿通孔４５を有しており、筒状部分２２に中心軸線方向における突出部分４４の厚さｄ´は前述の第１の実施の形態における突出部分２４の厚さｄより大きくなっている。
【００５４】
結束バンド部４３は、結束時に外周面となる片面側にセレーション状の結束係止用の凹凸形状部分４３ｅを有する帯状のもので、先端側で小幅および薄肉になる一端側の挿入側バンド部分４３ａと、その挿入側バンド部分４３ａを抜止め可能に挿入することができる他端側の結束用ロック部分４３ｂとを有している。
【００５５】
この結束バンド部１３は、図６（ａ）および図６（ｂ）に示すように、クリップヘッド部４２の第１挿通孔２３および第２挿通孔４５に対して先端側の挿入側バンド部分４３ａから挿通され、複数の電線群Ｗ１、Ｗ２をパネル２に対して高さ方向（図６（ａ）中の上下方向）に重なる共抱き状態で結束することができるようになっている。
【００５６】
結束バンド部４３の結束用ロック部分４３ｂは、第１の実施の形態における結束バンド部１３の結束用ロック部分１３ｂと同様な抜止め構造を有するか他の公知の抜止め係止構造を有している。
【００５７】
クリップヘッド部４２の第１挿通孔２３および第２挿通孔４５は、突出部分４４の突出方向で互いに離間するとともに互いに略平行な中心軸線を有している。また、クリップヘッド部４２の第２挿通孔４５は、突出部分４４の突出方向で互いに離間する複数の平行孔として形成されている。
【００５８】
さらに、第１挿通孔２３を形成する筒状部分２２の長さＬは、第２挿通孔４５の中心軸線方向（図６（ａ）中の左右方向）における突出部分４４の厚さｄ´よりも十分に、例えば数倍程度大きくなっている。
【００５９】
本実施形態においても、結束作業の作業性が良く、結束する電線群Ｗ１、Ｗ２の太さや共抱きする束数等が制限され難い、汎用性の高いバンドクリップ４０を提供できる。
【００６０】
しかも、本実施形態のバンドクリップ４０では、クリップヘッド部４２の突出部分４４に電線群Ｗ１、Ｗ２の横ずれ規制機能を強化し、突出部分４４の片側にのみ複数の電線群Ｗ１、Ｗ２を結束できるようにしているので、バンドクリップ４０にオフセットクリップとしての機能を持たせることができ、より多様な結束形態に対応可能となる。
【００６１】
なお、前述の各実施形態では、矢先状の係止爪１１を有するクリップヘッド部１２をパネル穴状の取付部位への係止固定部としたが、本発明にいう係止固定部は、パネルから突出する板状や円柱状の取付部位に係止される公知のエッジ固定用のものやボルト固定用、スタッド固定用等の係止固定部分をパネル押え板の片面側または側面に装着したようなものであってもよい。
【００６２】
また、結束バンド部は、内周側または外周側にセレーション状の結束係止用の凹凸形状部分を有する周知のバンド状のものとしたが、セレーション状の凹凸形状のみならず、結束係止部には、抜止め係止による結束が可能な従来の任意の結束係止構造を採用することができる。また、結束バンドは、バンド状でなく円形や任意の非円形断面の可撓性の帯状または紐状のものであってもよい。
【００６３】
さらに、前述の各実施形態では、クリップヘッド部１２の突出部分２４が係止爪１１の中心軸線上に配置される真っ直ぐなものとされていたが、本発明にいう係止固定部の突出部分は、真直形状のものに限らず、Ｖ字形やＹ字形、十字形等をなしていてもよく、第２挿通孔が第１挿通孔と平行でなくてもよい。
【００６４】
また、クリップヘッド部１２の係止爪１１は、パネル穴固定用のものでその穴の周方向における取付角度位置が特に限定されないものとしたが、クリップヘッド部１２を楕円穴や角穴に係止される係止固定部、あるいは、エッジ固定用の係止固定部に置き換え、その係止固定部に対して、筒状部分と突出部分とを一体化したセンタープレートを抜止め可能かつ軸回り回転可能に結合させるようなことも考えられる。
【００６５】
また、本発明にいう第２挿通孔は、突出部分によって全周を囲まれているのがよいが、周方向の一部で開放され、結束バンド部を一端側からのみならずバンド幅方向にも挿入可能な凹状をなしていてもよいし、そのような凹状部を対向させる一対の突出部分によって第２挿通孔が形成されてもよい。
【００６６】
さらに、本発明のバンドクリップは、全体がポリプロピレンやナイロンその他の樹脂で形成されるものに限らず、部分的に金属製となっているものであってもよい。
【００６７】
以上説明したように、本発明は、結束作業の作業性が良く、結束する電線群の太さや共抱きする束数等が制限され難い、汎用性の高いバンドクリップを提供できるものであり、複数の電線群を共抱き状態で結束および固定可能なバンドクリップ全般に有用である。
【符号の説明】
【００６８】
２  パネル（支持体）
２ａ  ハーネス固定部位（取付部位）
１０，４０  バンドクリップ
１１  係止爪
１２，４２  クリップヘッド部（係止固定部）
１３，４３  結束バンド部
１３ａ，４３ａ  挿入側バンド部分（一端側部分）
１３ｅ，４３ｅ  結束係止用の凹凸形状部分
２１  パネル押え板部
２２  筒状部分
２３  第１挿通孔
２４，４４  突出部分
２５，４５  第２挿通孔
Ｌ  長さ（筒状部分の長さ）
Ｗ１，Ｗ２  電線群（ワイヤハーネスの電線群）
【図１】
2015156737.tif 000003
【図２】
2015156737.tif 000004
【図３】
2015156737.tif 000005
【図４】
2015156737.tif 000006
【図５】
2015156737.tif 000007
【図６】
2015156737.tif 000008